(57)【要約】【課題】ミリ波帯域用伝送線路一体型低損失柔軟アンテナを提供する。【解決手段】アンテナ１１０；及びアンテナ１１０と一体に形成される伝送線路１２０；を含み、アンテナ１１０は、接地板上に一定厚さの誘電体からなる誘電体基板；誘電体基板上に形成され、モバイル通信端末機の電気信号を電磁波信号に変換して空中に放射するか、空中の電磁波信号を受信してモバイル通信端末機の電気信号に変換する信号変換部；及び誘電体基板上に形成され、信号変換部と連結される給電部；を含み、伝送線路１２０は、一端がアンテナの給電部と連結されており、送受信される電気信号を伝達する中心導体；中心導体と同じ軸を有し、中心導体の軸方向に中心導体を取り囲んでいる外部導体；及び軸方向に中心導体と外部導体との間に形成されている誘電体；を含み、誘電体は、樹脂を高電圧で電界紡糸して形成されたナノ構造の物質である。【選択図】図１Ａ
2020065257.tif 000002
【特許請求の範囲】
【請求項１】
アンテナと、
前記アンテナと一体に形成される伝送線路と、を含み、
前記アンテナは、
接地板上に形成される一定厚さの誘電体からなる誘電体基板と、
前記誘電体基板上に形成され、モバイル通信端末機の電気信号を電磁波信号に変換して空中に放射するか、空中の電磁波信号を受信してモバイル通信端末機の電気信号に変換する信号変換部と、
前記誘電体基板上に形成され、前記信号変換部と連結される給電部と、を含み、
前記伝送線路は、
一端が前記アンテナの給電部と連結されており、送受信される電気信号を伝達する中心導体と、
前記中心導体と同じ軸を有し、前記中心導体の軸方向に沿って前記中心導体を取り囲んでいる外部導体と、
前記軸方向に沿って前記中心導体と前記外部導体との間に形成されている誘電体と、を含み、
前記誘電体は、樹脂を高電圧で電界紡糸して形成されたナノ構造のナノシート誘電体であることを特徴とするミリ波帯域用伝送線路一体型低損失柔軟アンテナ。
【請求項２】
前記アンテナ及び伝送線路は、
低損失ボンディングシートを使用して導体と前記ナノシート誘電体との接着力を強化するか、または前記ナノシート誘電体上に導体を蒸着して形成されることを含む請求項１に記載のミリ波帯域用伝送線路一体型低損失柔軟アンテナ。
【請求項３】
前記伝送線路は、
所定の厚さを有するナノシート誘電体と、
前記ナノシート誘電体の上部と下部とに形成される導体面と、
前記ナノシート誘電体及び前記導体面の中央に信号線として形成されるストリップライン伝送線路と、を含み、
前記ナノシート誘電体の上部に形成される導体面と前記ナノシート誘電体の下部に形成される導体面との間には、多数のビアホールが形成されることを特徴とする請求項１に記載のミリ波帯域用伝送線路一体型低損失柔軟アンテナ。
【請求項４】
前記アンテナは、
パッチアンテナ、マイクロストリップパッチアンテナまたは対角線ラインタイプパッチアンテナの構造であり、前記信号変換部は、パッチであり、
前記パッチアンテナまたはマイクロストリップアンテナは、
金属からなり、底面に位置する接地板をさらに備え、
前記誘電体基板は、前記接地板上に形成される一定厚さの誘電体からなることを特徴とする請求項１に記載のミリ波帯域用伝送線路一体型低損失柔軟アンテナ。
【請求項５】
前記アンテナは、
ダイポールアンテナまたはモノポールアンテナであることを特徴とする請求項１に記載のミリ波帯域用伝送線路一体型低損失柔軟アンテナ。
【請求項６】
前記アンテナは、
モバイル通信端末機に内蔵される内蔵型アンテナであって、ＰＩＦＡであることを特徴とする請求項１に記載のミリ波帯域用伝送線路一体型低損失柔軟アンテナ。
【請求項７】
前記アンテナは、
複数のスロットが形成されているスロットアンテナであることを特徴とする請求項１に記載のミリ波帯域用伝送線路一体型低損失柔軟アンテナ。
【請求項８】
請求項１から請求項７のうち何れか一項に記載のミリ波帯域用伝送線路一体型低損失柔軟アンテナを備えるモバイル通信端末機。
【発明の詳細な説明】
【技術分野】
【０００１】
本発明は、ミリ波（ｍｍＷａｖｅ）帯域用アンテナに係り、特に、従来の損失が多いＰＩ（Ｐｏｌｙ  ｉｍｉｄｅ）系やＬＣＰ（Ｌｉｑｕｉｄ  Ｃｒｙｓｔａｌ  Ｐｏｌｙｍｅｒ）系ではない低損失ナノシートを利用し、伝送線路とアンテナとが一体に形成されてモバイル機器に適用可能なミリ波帯域用伝送線路一体型低損失柔軟アンテナに関する。
【背景技術】
【０００２】
次世代５Ｇ移動通信システムは、数十ギガの高周波帯域を通じて通信を行い、スマートフォンの内部にも数十ギガの高周波帯域アンテナを必要とする。特に、スマートフォンなど携帯用機器に使われるモバイル内蔵型アンテナの場合、スマートフォンの内部の環境に影響を多く受ける。この際、周辺環境の影響を最小化する位置にアンテナを位置させなければならない必要がある。また、超高周波信号を少ない損失で伝送または処理するためには、低損失及び高性能の伝送線路が必要である。
【０００３】
一般的に、アンテナと伝送線路とに使われる誘電体は、誘電率損失が低いほど送信する電力損失を減らしうる。したがって、超高周波信号の伝送のための低損失及び高性能の伝送線路とアンテナとを製造するためには、可能であれば、比誘電率が低く、誘電体損失（ｌｏｓｓ  ｔａｎｇｅｎｔ）も低い物質を使用することが必要である。特に、５世代移動通信（５Ｇ  Ｎｅｔｗｏｒｋ）で使われる３．５ＧＨｚ及び２８ＧＨｚ帯域の周波数を有する信号を効率的に伝送するためには、２８ＧＨｚのミリ波帯域でも損失が小さい伝送線路及びアンテナの重要性はさらに大きくなっている。
【発明の概要】
【発明が解決しようとする課題】
【０００４】
本発明が解決しようとする課題は、数十ギガの高周波帯域で前述した必要性を満たすために、比誘電率が低く、誘電体損失値が小さい材料を使用し、多様な屈曲性を有する柔軟性素材で低損失及び高性能の伝送線路とアンテナとを一体化したミリ波帯域用伝送線路一体型低損失柔軟アンテナを提供するところにある。
【０００５】
本発明が解決しようとする他の課題は、前記ミリ波帯域用伝送線路一体型低損失柔軟アンテナを備えるモバイル通信端末機を提供するところにある。
【課題を解決するための手段】
【０００６】
前記技術的課題を果たすための本発明によるミリ波帯域用伝送線路一体型低損失柔軟アンテナは、アンテナ；及び前記アンテナと一体に形成される伝送線路；を含み、前記アンテナは、接地板上に形成される一定厚さの誘電体からなる誘電体基板；前記誘電体基板上に形成され、モバイル通信端末機の電気信号を電磁波信号に変換して空中に放射するか、空中の電磁波信号を受信してモバイル通信端末機の電気信号に変換する信号変換部；及び前記誘電体基板上に形成され、前記信号変換部と連結される給電部；含み、前記伝送線路は、一端が前記アンテナの給電部と連結されており、前記送受信される電気信号を伝達する中心導体；前記中心導体と同じ軸を有し、前記中心導体の軸方向に沿って前記中心導体を取り囲んで（ｓｈｉｅｌｄｉｎｇ）いる外部導体；及び前記軸方向に沿って前記中心導体と前記外部導体との間に形成されている誘電体；を含み、前記誘電体は、多様な形態の樹脂を高電圧で電界紡糸して形成されたナノ構造のナノシート誘電体であることを特徴とする。
【０００７】
前記導体とナノシート誘電体は、単一積層構造だけではなく、複数の層を繰り返す構造を有する多層構造で形成され、多層構造を通じて多重信号を同時に送受信することができる。また、各導体とナノシート誘電体との信頼性を有する接着構造のために、薄膜層の低い比誘電率及び低い誘電体損失を有する構造のボンディングシートで互いに連結される。
【０００８】
前記アンテナは、マイクロストリップパッチ信号放射体、多様な形態のパッチタイプのアンテナ放射体または対角線ラインタイプパッチアンテナの構造を含み、前記アンテナ放射体パッチは、最上端部に位置し、前記アンテナ放射体パッチの底面には、一定厚さのナノシート誘電体が形成され、最下端面には、金属からなる接地板をさらに備えることができる。各導体とナノシート誘電体とを効率的に結合するために、低損失誘電体ボンディングシートを使用して接着力を強化することもでき、ナノシート誘電体に直接導体を形成したものを活用することができる。
【０００９】
アンテナと結合される伝送線路は、前記ナノシート誘電体を誘電体として活用し、信号線と平行方向にエッジ（ｅｄｇｅ）に沿って多数のビアホール（ｖｉａ  ｈｏｌｅ）を備えるストリップラインで形成され、前記ストリップラインの信号導体線は、アンテナの放射体パッチ導体と直接連結される。
【００１０】
前記アンテナは、ダイポールアンテナ、モノポールアンテナ、またはモバイル通信端末機に内蔵される内蔵型アンテナであるＰＩＦＡ（Ｐｌａｎａｒ  Ｉｎｖｅｒｔｅｄ  Ｆ  Ａｎｔｅｎｎａ；板状逆Ｆ型アンテナ）を含みうる。
【００１１】
前記アンテナは、複数で多様なスロットが形成されているスロットアンテナ（Ｓｌｏｔ  ａｎｔｅｎｎａ）を含みうる。
【００１２】
前記他の技術的課題を果たすための本発明によるモバイル通信端末機は、前述した低損失のナノシート誘電体を活用した伝送線路一体型アンテナを備える。
【発明の効果】
【００１３】
本発明によるミリ波帯域用伝送線路一体型低損失柔軟アンテナによれば、次世代５Ｇ移動通信システムのスマートフォンに使われる数十ギガの高周波帯域アンテナとして使われる。
【００１４】
特に、本発明によるミリ波帯域用伝送線路一体型低損失柔軟アンテナでは、伝送線路とアンテナとに使われる誘電体として、比誘電率（ｒｅｌａｔｉｖｅ  ｐｅｒｍｅａｂｉｌｉｔｙ）が低く、誘電体損失値が小さい誘電物質を使用することにより、超高周波信号を少ない損失で伝送または伝播することができる。
【００１５】
そして、本発明によるミリ波帯域用伝送線路一体型低損失柔軟アンテナは、伝送線路とアンテナとを一体化することにより、伝送線路とアンテナとの連結部によって発生する損失を無くすことにより、超高周波帯域の信号の損失を減らしうる。
【００１６】
また、屈曲性を有する柔軟な素材としてモバイル内蔵型アンテナを具現することにより、スマートフォンなど携帯用機器の内部で周辺環境の影響を最小化する位置にアンテナを位置させうるという長所がある。
【図面の簡単な説明】
【００１７】
【図１Ａ】本発明によるミリ波帯域用伝送線路一体型低損失柔軟アンテナの一実施形態である伝送線路一体型パッチアンテナの斜視図である。
【図１Ｂ】量産時に適用可能なＳＩＷ（Ｓｕｂｓｔｒａｔｅ  Ｉｎｔｅｇｒａｔｅｄ  Ｗａｖｅｇｕｉｄｅ；基板集積導波管）構造を活用した伝送線路一体型アンテナの斜視図である。
【図１Ｃ】図１ＢのＳＩＷ構造を拡大して表示した伝送線路一体型アンテナを示した図面である。
【図２】本発明の一実施形態によるミリ波帯域用伝送線路一体型低損失柔軟アンテナの平面図である。
【図３】本発明の一実施形態によるミリ波帯域用伝送線路一体型低損失柔軟アンテナの正面図である。
【図４】本発明のミリ波帯域用伝送線路一体型低損失柔軟アンテナの一実施形態によるパッチアンテナの斜視図である。
【図５】本発明のミリ波帯域用伝送線路一体型低損失柔軟アンテナの一実施形態によるパッチアンテナの平面図である。
【図６】本発明のミリ波帯域用伝送線路一体型低損失柔軟アンテナの一実施形態によるパッチアンテナの正面図である。
【図７】本発明によるミリ波帯域用伝送線路一体型低損失柔軟アンテナの一実施形態の構成要素である伝送線路（ｆｌａｔ  ｃａｂｌｅ）の斜視図である。
【図８】本発明によるミリ波帯域用伝送線路一体型低損失柔軟アンテナの一実施形態の構成要素である伝送線路の正面図である。
【図９】電界紡糸を通じてナノフロンを製造する装置の一例を示した図面である。
【図１０】本発明によるミリ波帯域用伝送線路一体型低損失柔軟アンテナの一実施形態である伝送線路一体型パッチアンテナのビームパターン（ｂｅａｍ  ｐａｔｔｅｒｎ、ｒａｄｉａｔｉｏｎ  ｐａｔｔｅｒｎ）を示した図面である。
【図１１】本発明によるミリ波帯域用伝送線路一体型低損失柔軟アンテナの一実施形態である伝送線路一体型パッチアンテナの周波数による入力反射係数（Ｓ１１）の特性を示した図面である。
【図１２】本発明によるミリ波帯域用伝送線路一体型低損失柔軟アンテナの一実施形態である伝送線路一体型パッチアンテナの利得（ｇａｉｎ）の特性を示した図面である。
【図１３】本発明によるミリ波帯域用伝送線路一体型低損失柔軟アンテナの一実施形態である伝送線路一体型ダイポールアンテナの平面図である。
【図１４】本発明によるミリ波帯域用伝送線路一体型低損失柔軟アンテナの一実施形態である伝送線路一体型ダイポールアンテナの軸方向の断面図である。
【図１５】本発明によるミリ波帯域用伝送線路一体型低損失柔軟アンテナが装着された携帯通信装置の一例を示した図面である。
【発明を実施するための形態】
【００１８】
以下、添付図面を参照して、本発明の望ましい実施形態を詳しく説明する。本明細書に記載された実施形態と図面とに示された構成は、本発明の望ましい一実施形態に過ぎず、本発明の技術的思想をいずれも代弁するものではないので、本出願時点において、これらを代替しうる多様な均等物と変形例とがあるということを理解しなければならない。
【００１９】
図１Ａは、本発明によるミリ波帯域用伝送線路一体型低損失柔軟アンテナの一実施形態である伝送線路一体型パッチアンテナの斜視図である。図１Ｂは、量産時に適用可能なＳＩＷ構造を活用した伝送線路一体型アンテナの斜視図である。図１Ｃは、図１ＢのＳＩＷ構造を拡大して表示した伝送線路一体型アンテナを示したものである。
【００２０】
図２は、本発明の一実施形態による伝送線路一体型パッチアンテナの平面図である。図３は、本発明の一実施形態による伝送線路一体型パッチアンテナの正面図である。
【００２１】
図１ないし図３を参照すれば、本発明によるミリ波帯域用伝送線路一体型低損失柔軟アンテナの一実施形態であって、ミリ波帯域用伝送線路一体型パッチアンテナは、アンテナ１１０、２１０、３１０及び前記アンテナと一体に形成される伝送線路（ｔｒａｎｓｍｉｓｓｉｏｎ  ｌｉｎｅ）１２０、２２０、３２０を含んでなる。
【００２２】
図４は、本発明のミリ波帯域用伝送線路一体型低損失柔軟アンテナの一実施形態によるパッチアンテナの斜視図である。図５は、本発明のミリ波帯域用伝送線路一体型低損失柔軟アンテナの一実施形態によるパッチアンテナの平面図である。図６は、本発明のミリ波帯域用伝送線路一体型低損失柔軟アンテナの一実施形態によるパッチアンテナの正面図である。
【００２３】
図１ないし図６を参照すれば、パッチアンテナ１１０、２１０、３１０は、接地板４１０、６１０、誘電体基板４２０、５２０、６２０、信号変換部４３０、５３０、６３０及び給電部４４０、５４０、６４０を含んでなる。
【００２４】
接地板４１０、６１０は、パッチアンテナ１１０、２１０の底面に位置し、接地（ｇｒｏｕｎｄ）の役割を行い、金属からなる。
【００２５】
誘電体基板４２０、５２０、６２０は、接地板４１０、６１０上に形成される一定厚さの誘電体からなる。
【００２６】
信号変換部４３０、５３０、６３０は、誘電体基板４２０、５２０、６２０上に形成され、モバイル通信端末機の電気信号を電磁波信号に変換して空中に放射するか、空中の電磁波信号を受信してモバイル通信端末機の電気信号に変換する。
【００２７】
給電部４４０、５４０、６４０は、誘電体基板４２０、５２０、６２０上に形成され、信号変換部４３０、５３０、６３０と連結される。
【００２８】
図７は、本発明のミリ波帯域用伝送線路一体型低損失柔軟アンテナの一実施形態を構成するフラットケーブル（ｆｌａｔ  ｃａｂｌｅ）形態の伝送線路の斜視図である。図８は、本発明のミリ波帯域用伝送線路一体型低損失柔軟アンテナの一実施形態を構成する伝送線路（ｆｌａｔ  ｃａｂｌｅ）の正面図である。
【００２９】
図１ないし図８を参照すれば、伝送線路１２０、２２０、３２０は、中心導体７１０、８１０、外部導体７２０、８２０及び誘電体７３０、８３０を含んでなる。
【００３０】
中心導体７１０、８１０は、一端がアンテナ１１０、２１０、３１０の給電部４４０、５４０、６４０と連結されており、信号線として前記送受信される電気信号を伝達する。
【００３１】
外部導体７２０、８２０は、中心導体７１０、８１０と同じ軸を有し、中心導体の軸方向（ａ−ｂ）に沿って中心導体７１０、８１０を取り囲んでいる。
【００３２】
誘電体７３０、８３０は、前記軸方向に前記中心導体と前記外部導体との間に形成されている。
【００３３】
アンテナ１１０、２１０、３１０に使われる誘電体基板４２０、５２０、６２０と伝送線路１２０、２２０、３２０とに使われる誘電体７３０、８３０は、多様な形態（固体、液体、気体）の樹脂を高電圧で電界紡糸して形成されたナノ構造の物質であって、シート（ｓｈｅｅｔ）状を有しうる。
【００３４】
本発明によるミリ波帯域用伝送線路一体型低損失柔軟アンテナにおいてアンテナと伝送線路とを構成する誘電体の物質として使われるナノ構造物質は、多様な形態（固体、液体、気体）のうち適した形態の樹脂を選択して一定の高電圧で電界紡糸（Ｅｌｅｃｔｒｏｓｐｉｎｎｉｎｇ）して形成された物質であって、本明細書において、ナノフロン（Ｎａｎｏｆｌｏｎ）と称する。図９は、電界紡糸を通じてナノフロンを製造する装置の一例を示したものであって、注射器９１０に高分子のポリマー溶液９２０を注入して、注射器９１０と紡糸する基板との間に高電圧９３０を加え、ポリマー溶液を一定の速度で流せば、表面張力によって電気が毛細管端部にぶら下げられている液体に加えられてナノサイズの細い糸９４０が作られ、時間が経てば、不織布形態のナノ構造の物質であるナノ繊維９５０が積もる。このようにナノ繊維が積もって形成された物質がナノフロンである。電界紡糸に使われる高分子物質の例を挙げれば、ＰＵ（ｐｏｌｙｕｒｅｔｈａｎｅ）、ＰＶＤＦ（ｐｏｌｙｖｉｎｙｌｉｄｉｎｅ  Ｄｉｆｌｏｕｒｉｄｅ）、Ｎｙｌｏｎ（ｐｏｌｙａｍｉｄｅ）、ＰＡＮ（ｐｏｌｙａｃｒｌｏｎｉｔｒｉｌｅ）などがある。ナノフロンは、誘電率が低く、空気が多くて、伝送線路の誘電体とアンテナの誘電体基板として使われる。本発明で使われるナノフロンの比誘電率（εｒ）は、ほぼ１．５６であり、誘電体損失値Ｔａｎδは、ほぼ０．００００８である。これは、比誘電率が４．３であり、誘電体損失値が０．００４であるポリイミド（ｐｏｌｙｉｍｉｄｅ）のものに比較すれば、非常に低い比誘電率値と誘電体損失値である。そして、本発明による伝送線路一体型アンテナは、低損失でありながらも、柔軟性がある素材を使用することにより、フレキシブル（ｆｌｅｘｉｂｌｅ）性を有し、スマートフォンの狭い空間にも、設置において柔軟性を提供することができる。
【００３５】
一方、図１ないし図８で使われる誘電体は、多様な形態の樹脂を高電圧で電界紡糸して形成されたナノ構造のナノシート誘電体であることが望ましい。
【００３６】
図１ないし図８に例示されたミリ波帯域用伝送線路一体型低損失柔軟アンテナの構成に含まれる導体とナノシート誘電体は、単一積層構造だけではなく、複数の層を繰り返す構造を有する多層構造であって、多重信号を同時に送受信することができる構造を含む。また、各導体とナノシート誘電体との信頼性を高める接着構造のために、薄膜層の低い比誘電率及び誘電体損失を有する構造のボンディングシートで導体とナノシート誘電体とが連結される。
【００３７】
そして、本発明による伝送線路一体型低損失柔軟アンテナは、マイクロストリップパッチ信号放射体、多様な形態のパッチタイプのアンテナ放射体の構造または対角線ラインタイプパッチアンテナの構造を含む。前記アンテナ放射体パッチは、最上端面に位置し、一定厚さのナノシート誘電体が前記アンテナ放射体パッチの底面に形成され、最下端面には、金属からなる接地板が形成されうる。特に、各導体とナノシート誘電体との効率的な結合のために、低損失誘電体ボンディングシートを使用して接着力を強化し、ナノシート誘電体上に導体を蒸着して形成されたものを活用することができる。
【００３８】
また、本発明による伝送線路一体型低損失柔軟アンテナでアンテナと一体に形成される伝送線路は、互いに同じナノシート誘電体を誘電体として使用することができる。図１Ｃを参照すれば、伝送線路１２０は、所定の厚さを有するナノシート誘電体１２６と、ナノシート誘電体１２６の上部及び下部に形成される導体面１２８、１２９と、ナノシート誘電体１２６及び導体面１２８、１２９の中央に信号線として形成されるストリップライン（Ｓｔｒｉｐｌｉｎｅ）信号線１２４とを含んでなり、ナノシート誘電体１２６の上部に形成される導体面１２８とナノシート誘電体１２６の下部に形成される導体面１２９との間には、多数のビアホール１２２が形成されうる。すなわち、本発明による伝送線路一体型低損失柔軟アンテナは、信号線１２４と平行方向に伝送線路１２０の長手方向のエッジに沿って多数のビアホール１２２が形成されたストリップライン構造を含みうる。前記ストリップラインの信号線１２４は、アンテナの放射体パッチ導体１１２と直接連結される。
【００３９】
前記多数のビアホール１２２は、信号線の漏れとノイズとの送受信を遮断するためのものであって、ＳＩＷ構造でミリ波帯域までの広帯域に対して優れたノイズ遮蔽特性を提供する。
【００４０】
図１０は、本発明によるミリ波帯域用伝送線路一体型低損失柔軟アンテナの一実施形態であって、伝送線路一体型パッチアンテナのビームパターン（ｒａｄｉａｔｉｏｎ  ｐａｔｔｅｒｎ）を示したものである。ビームパターンは、輻射（ｒａｄｉａｔｉｏｎ）される電磁波の電界強度（ｅｌｅｃｔｒｉｃ  ｆｉｅｌｄ  ｓｔｒｅｎｇｔｈ）であって、図１０を参照すれば、指向性を示している。
【００４１】
図１１は、本発明によるミリ波帯域用伝送線路一体型低損失柔軟アンテナの一実施形態である伝送線路一体型パッチアンテナの周波数による入力反射係数（Ｓ１１）の特性を示したものである。図１１を参照すれば、本発明の一実施形態による伝送線路一体型パッチアンテナは、５Ｇ通信周波数である２８ＧＨｚの周波数でＳ１１値が低くなり、アンテナに入力された信号電力が反射して戻らず、最大限アンテナを通じて外部に輻射され、輻射効率が高く、マッチングも良好であることが分かる。
【００４２】
図１２は、本発明によるミリ波帯域用伝送線路一体型低損失柔軟アンテナの一実施形態である伝送線路一体型パッチアンテナの利得の特性を示したものである。図１２を参照すれば、垂直偏波（ｖｅｒｔｉｃａｌ  ｐｏｌａｒｉｚａｔｉｏｎ）の利得特性として、０°（ラジアン）で約６．６ｄＢｉであって、非常に高いアンテナ利得特性を有することを確認することができる。
【００４３】
一方、本発明によるミリ波帯域用伝送線路一体型低損失柔軟アンテナは、パッチアンテナまたはマイクロストリップパッチアンテナだけではなく、誘電体を使用するアンテナと伝送線路とを含む。例えば、本発明によるアンテナは、ダイポールアンテナまたはモノポールアンテナにも適用可能である。そして、前記アンテナは、モバイル通信端末機に内蔵される内蔵型アンテナであって、ＰＩＦＡにも適用可能である。
【００４４】
図１３は、本発明によるミリ波帯域用伝送線路一体型低損失柔軟アンテナの他の実施形態である伝送線路一体型ダイポールアンテナの平面図である。図１４は、本発明によるミリ波帯域用伝送線路一体型低損失柔軟アンテナの他の実施形態である伝送線路一体型ダイポールアンテナの軸方向（図１３のｃ−ｄ）の断面図である。
【００４５】
図１３及び図１４を参照すれば、伝送線路一体型ダイポールアンテナは、伝送線路であるフラットケーブル１３１０と前記フラットケーブル１３１０と一体に形成されたダイポールアンテナ１３２０とを含んでなる。そして、ダイポールアンテナ１３２０は、ダイポール形態の信号変換部１４１０と誘電体１４２０とを含んでなり、フラットケーブル１３１０は、信号を伝達する中心導体１４４０、外部導体１４３０、及び、中心導体と外部導体との間に位置する、誘電率が低く損失が小さい誘電物質からなる誘電体１４５０を含む。
【００４６】
本発明の他の実施形態による伝送線路一体型ダイポールアンテナは、一端部１５が伝送線路１３１０であるフラットケーブルの信号線と連結され、他の一端部１６は、アンテナの接地線と連結される。
【００４７】
一方、図１５は、本発明によるミリ波帯域用伝送線路一体型低損失柔軟アンテナが装着された携帯通信装置の一例を示したものである。図１５を参照すれば、本発明による携帯通信端末機は、携帯通信端末機の回路モジュールと連結されて、電気信号を送受信し、アンテナを通じて外部に電波を放射する本発明によるミリ波帯域用伝送線路一体型低損失柔軟アンテナ（ＴＬＩＡ）を備える。
【００４８】
本発明は、図面に示された実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決定されねばならない。
【符号の説明】
【００４９】
１１０、２１０、３１０：パッチアンテナ
１２０、２２０、３２０：伝送線路
１１２：パッチ導体
１２２：ビアホール
１２４：信号線
１２６：ナノシート誘電体
１２８：導体面
１２９：導体面
４１０、６１０：接地板
４２０、５２０、６２０：誘電体基板
４３０、５３０、６３０：信号変換部（パッチ）
４４０、５４０、６４０：給電部
４５０：伝送線路（ｆｌａｔ  ｃａｂｌｅ）
７１０、８１０：中心導体（信号線）
７２０、８２０：外部導体（Ｓｈｉｅｌｄｉｎｇ）
７３０、８３０：誘電体
９１０：注射器
９２０：ポリマー溶液
９３０：高電圧
９４０：細い糸
９５０：ナノ繊維
１３１０：伝送線路（ｆｌａｔ  ｃａｂｌｅ）
１３２０：ダイポールアンテナ
１４１０：信号変換部（ダイポール）
１４２０：誘電体基板
１４３０：外部導体
１４４０：中心導体（信号線）
１４５０：誘電体
【図１Ａ】
2020065257.tif 000003
【図１Ｂ】
2020065257.tif 000004
【図１Ｃ】
2020065257.tif 000005
【図２】
2020065257.tif 000006
【図３】
2020065257.tif 000007
【図４】
2020065257.tif 000008
【図５】
2020065257.tif 000009
【図６】
2020065257.tif 000010
【図７】
2020065257.tif 000011
【図８】
2020065257.tif 000012
【図９】
2020065257.tif 000013
【図１０】
2020065257.tif 000014
【図１１】
2020065257.tif 000015
【図１２】
2020065257.tif 000016
【図１３】
2020065257.tif 000017
【図１４】
2020065257.tif 000018
【図１５】
2020065257.tif 000019